(57)【要約】【課題】遊技盤の機種情報を表示する定形表示部材の位置決めと捲くれ上がり防止とを図る。【解決手段】盤収容部９の後部には画像表示装置２５が前面視方形な表示画面２６を前側に向けて装着され、盤収容部９には光透過性の有る遊技盤４１が前側から格納され、ガイドレール４４とで囲まれた空間が前面視丸形な遊技領域６０として構成され、下画像表示不能空間Ｌ２に対応する下定形表示部材５８が遊技盤４１の後側から下定形表示収容部７０に収容されることによって、下定形表示部材５８の遊技盤４１に対する位置が適切に決まり、球通路構造体７４がリブ７１や下定形表示部材５８を裏側から覆い隠すように遮光基盤４３の裏面に取り付けられ、下定形表示部材５８が遊技盤４１と後部品５９とで前後から挟まれることによって、下定形表示部材５８の板厚を薄くしても、下定形表示部材５８が後側に捲くれ上がることがない。【選択図】図１
2008086573.tif 000002
【特許請求の範囲】
【請求項１】
光透過性の有る遊技盤が遊技機枠の遊技主体収納室に格納されることによって、遊技機枠の内部に円形な遊技領域が形成され、遊技機枠の後部には方形な表示画面を有する画像表示装置が装着され、円形な遊技領域と方形な表示画面とが前後で重なり、表示画面より外側に半月状の画像表示不能な空間としての画像表示不能空間が形成され、画像表示不能空間を覆う定形表示部材が遊技盤の裏面に着脱可能に取り付けられたパチンコ遊技機において、遊技盤が前側の透明基盤と後側の遮光基盤とから構成され、遮光基盤には前後方向への貫通孔としての定形表示開口部と定形表示開口部を囲む定形表示収容部と定形表示収容部を囲むリブとを備え、定形表示部材が遮光基盤の後側から定形表示開口部を覆うように定形表示収容部に収容されることによって、定形表示部材の前面の中央部が定形表示開口部に露出され、照明構造体を有する後部品が定形表示部材およびリブを覆うように遮光基盤の後側から遮光基盤の裏面に取り付けられたことを特徴とするパチンコ遊技機。
【発明の詳細な説明】
【技術分野】
【０００１】
本発明は、遊技盤の機種情報を表示する定形表示部材の位置決めと捲くれ上がり防止とが図れるパチンコ遊技機に関する。
【背景技術】
【０００２】
パチンコ遊技機には、遊技機枠の前部に光透過性の有る遊技盤を格納し、遊技機枠の後部に画像表示装置を装着し、画像表示装置の表示画面に表示された画像と遊技盤の遊技領域に行き交う球の動きとを、遊技機枠の前側から遊技者に見せるようにする一方、球の飛び交う遊技領域が円形で、画像表示装置の表示画面が方形であるので、円形な遊技領域と方形な表示画面とが前後で重なるように組み合わせられたことによって、表示画面より外側に半月状の画像表示不能な空間が形成される。このため、半月状の画像表示不能空間を覆う定形表示部材が遊技盤の裏面に着脱可能に取り付けられ、定形表示部材を照明する光源が可動枠に取り付けられたことによって、定形表示部材で遊技盤の機種に適合した文字またはキャラクタまたは図柄または絵柄などの機種情報を表示し、この表示された遊技盤の機種情報を裏側から照明するようにしたものがある。しかしながら、光を透過する性質の有る無色な合成樹脂からなる左右方向に長い帯板状の定形表示部材が後側から遊技盤の裏面の側に押さえられていないので、定形表示部材の板厚を薄くした場合、定形表示部材が後側に捲くれ上がるという欠点がある。
【特許文献１】特願２００４−３１３２８８号
【発明の開示】
【発明が解決しようとする課題】
【０００３】
発明が解決しようとする問題点は、定形表示部材が後側に捲くれ上がるという点である。
【課題を解決するための手段】
【０００４】
本発明に係るパチンコ遊技機は、光透過性の有る遊技盤が遊技機枠の遊技主体収納室に格納されることによって、遊技機枠の内部に円形な遊技領域が形成され、遊技機枠の後部には方形な表示画面を有する画像表示装置が装着され、円形な遊技領域と方形な表示画面とが前後で重なり、表示画面より外側に半月状の画像表示不能な空間としての画像表示不能空間が形成され、画像表示不能空間を覆う定形表示部材が遊技盤の裏面に着脱可能に取り付けられたパチンコ遊技機において、遊技盤が前側の透明基盤と後側の遮光基盤とから構成され、遮光基盤には前後方向への貫通孔としての定形表示開口部と定形表示開口部を囲む定形表示収容部と定形表示収容部を囲むリブとを備え、定形表示部材が遮光基盤の後側から定形表示開口部を覆うように定形表示収容部に収容されることによって、定形表示部材の前面の中央部が定形表示開口部に露出され、照明構造体を有する後部品が定形表示部材およびリブを覆うように遮光基盤の後側から遮光基盤の裏面に取り付けられたことを最も主要な特徴とする。
【発明の効果】
【０００５】
本発明に係るパチンコ遊技機の遊技盤は、定形表示部材が定形表示収容部に収容されるので、定形表示部材の遊技盤に対する位置が適切に決まるうえ、定形表示収容部に収容された定形表示部材が透明基盤と照明構造体を有する後部品とで前後方向から挟まれるので、定形表示部材の前後方向の板厚が薄くても、定形表示部材が後側に捲くれ上がることがないという利点がある
【発明を実施するための最良の形態】
【０００６】
図１乃至図４は、発明を実施するための最良の形態である。図１は、パチンコ遊技機における定形表示部材を構成する下定形表示部材５８の部分を縦に切断した断面を示す。図２は、パチンコ遊技機の遊技機枠１と遊技盤４１とを分解して示す。図３は、可動枠３の正面を示す。図４は、遊技盤４１における透明基盤４２と遮光基盤４３と下定形表示部材５８と後部品５９および光拡散部材６６を分解して示す。本明細書において、「前」、「表」、「後」、「裏」、「左」、「右」、「上」、「下」の方向は、図２の状態に遊技機枠１および遊技盤４１を置いて矢印Ｓで示す前側から見た場合に特定される方向である。「前」および「表」は、同じ方向である。「後」および「裏」は、同じ方向である。
【０００７】
図３を参照し、上画像表示不能空間Ｌ１と下画像表示不能空間Ｌ２とを前側から見た形状について説明する。盤収容部９の後部には画像表示装置２５が前面視方形な表示画面２６を前側に向けて装着され、盤収容部９には光透過性の有る遊技盤４１が前側から格納され、ガイドレール４４とで囲まれた空間が前面視丸形な遊技領域６０（図１参照）として構成される。これによって、前面視方形な表示画面２６と前面視丸形な遊技領域６０とがそれらの間に中央開口部１０（図２参照）を介在させて前後で重なり、表示画面２６よりも上外側には上画像表示不能空間Ｌ１がガイドレール４４の上側に膨らむ円弧と中央開口部１０の上縁部である直線とで囲まれた半月状に形成され、表示画面２６よりも下外側には下画像表示不能空間Ｌ２がガイドレール４４の下側に膨らむ円弧と中央開口部１０の下縁部である直線とで囲まれた半月状に形成される。
【０００８】
図１を参照し、遊技機枠１の遊技盤４１を格納した下定形表示部材５８の周りを縦に切断した構造について説明する。前面視丸形な遊技領域６０が、前面パネル２９と盤収容部９に格納された遊技盤４１の前面とガイドレール４４とで囲まれた空間として構成される。遊技盤４１は、前側の透明基盤４２および後側の遮光基盤４３を備える。下画像表示不能空間Ｌ２に対応する下定形表示部材５８は、遊技盤４１の後側から下定形表示収容部７０に収容されるので、下定形表示部材５８の遊技盤４１に対する位置が適切に決まるという利点がある。下定形表示部材５８が下定形表示収容部７０に収容されることによって、下定形表示部材５８の前面の中央部が下定形表示開口部６９に露出する。この下定形表示開口部６９に露出された下定形表示部材５８の前面の中央部が透明基盤４２の側に突出するように造形すれば、立体感を遊技者に与えることができるという利点がある。
【０００９】
後部品５９は、球通路構造体７４および照明構造体７５を備える。球通路構造体７４は、光を透過する性質の有る無色な合成樹脂からなり、遮光基盤４３のリブ７１や下定形表示部材５８を裏側から覆い隠すように、遮光基盤４３における隔壁６４よりも下方に位置する下板部の裏面に取り付けられる、これによって、球通路構造体７４の前面が、リブ７１の裏面に接触するかまたは接触する程度に近づけられる。照明構造体７５は、回路基板７８および表示灯７９を備える。表示灯７９が球通路構造体７４の側に向けられ、回路基板７８が球通路構造体７４の裏面に取り付けられ、表示灯７９が球通路構造体７４の裏面から後側に離れる。
【００１０】
よって、遊技領域６０に行き交う球の動きと表示画面２６に表示された画像と表示灯７９からの光で照明された下定形表示部材５８の機種情報とが、遊技機枠１の前側から窓２８および前面パネル２９を通して見えるうえ、下定形表示収容部７０に収容された下定形表示部材５８が遊技盤４１と後部品５９とで前後から挟まれるので、下定形表示部材５８の前後方向の板厚を薄くしても、下定形表示部材５８が後側に捲くれ上がることがないという利点がある。このため、古い機種の遊技盤４１を遊技機枠１から外し、新しい機種の遊技盤４１を遊技機枠１に装着する、盤替えの場合、下定形表示部材５８が後側に捲くれ上がることなく適切な姿勢を維持し、下定形表示部材５８の機種情報が適切に見えるという利点がある。
【００１１】
図２を参照し、パチンコ遊技機について説明する。パチンコ遊技機は、遊技機枠１の内部に遊技盤４１を交換可能に取り付ける形態である。遊技機枠１は、固定枠２の前側に可動枠３を開閉可能に備え、可動枠３の前側に前扉４および皿構造体５を開閉可能に備える。固定枠２は遊技機設置構造体に取り付けるための外枠とも呼ばれる。可動枠３は、遊技盤４１、図外の球払出機構、図外の制御装置、図外の電源装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および皿構造体５は、左側に位置するヒンジ７を中心とし、可動枠３の前側で前側に開かれかつ後側に閉じられるように、片開き可能である。
【００１２】
可動枠３は、盤収容部９、中央開口部１０、盤後押出部１１、盤前受止部１２、盤掛止操作体１３、盤棚１４、球発射機構１５、球発射レール１６、戻り球取入口１７、機外排出樋１８、施錠装置１９、掛止機構２０；２１；２２、掛止解除操作体２３、タンク２４、画像表示装置２５を備える。盤収容部９は、遊技盤４１を可動枠３の前側から格納させるように、前側に開口した方形な箱形である。中央開口部１０は、画像表示装置２５の表示画面２６を露出させる、前後方向への貫通孔として、盤収容部９の背壁に形成される。盤後押出部１１は、遊技盤４１を前側に押す板ばねのような弾性体である。盤前受止部１２は、盤後押出部１１で前側に押された遊技盤４１を受け止める突起である。盤後押出部１１が後側で盤前受止部１２が前側となるように、盤後押出部１１および盤前受止部１２が盤収容部９の左側部に設けられる。盤後押出部１１と盤前受止部１２および盤掛止操作体１３は、遊技盤４１を盤収容部９に固定するための機構を構成する。
【００１３】
盤掛止操作体１３は、盤収容部９の背壁から前側に突出し、盤収容部９の背壁と平行な方向に回転可能に、盤収容部９の右側部に設けられる。盤棚１４は、遊技盤４１を搭載する左右方向に平坦な面として、盤収容部９の下縁部により形成される。球発射機構１５、球発射レール１６、戻り球取入口１７は、盤棚１４から下側に延設された前壁の前面に設けられる。機外排出樋１８は、盤棚１４の裏側に設けられる。施錠装置１９、掛止機構２０；２１；２２は、可動枠３の右側部に設けられる。タンク２４は、可動枠３の上部に位置し、可動枠３の裏面から後側に突出し、遊技機設置構造体の補給機構から供給された球を受ける上側に開口した上側から下側に窪む容器である。タンク２４には、図外の球払出機構が連結される。球払出機構は、タンク２４から球受皿部３０の側に球を１個ずつ分離しながら払い出す機構である。
【００１４】
前扉４は、窓２８、前面パネル２９、球受皿部３０、球発射操作機構３１、球取入口３２、球供給口３３を備える。窓２８は、前後方向への貫通孔として、前扉４の前壁に設けられる。前面パネル２９は、光を透過する性質の有る無色なガラスまたは合成樹脂などの透明体として、窓２８を塞ぐ大きさの板状に構成され、前扉４の裏面に設けられる。球受皿部３０は、窓２８よりも下部に位置し、前扉４の前面から前側に突出し、遊技に使用する球を受ける上側に開口した上側から下側に窪む容器であって、前扉４の前面に設けられる。球発射操作機構３１は、遊技者が球を発射するために操作するものであって、皿構造体５の前面から前側に突出するように、皿構造体５の前面に設けられる。球取入口３２は、球払出機構から払い出された球を球受皿部３０に導入する部分であって、皿構造体５の裏面に設けられる。球供給口３３は、球を球受皿部３０から球発射レール１６に供給するものであって、皿構造体５の裏面に設けられる。
【００１５】
遊技盤４１は、透明基盤４２、遮光基盤４３、ガイドレール４４、一般入賞部品４５、始動部品４６、可変入賞部品４７、ステージ４８、ステージ導入口４９、ステージ開口５０、ステージ導出口５１、アウト口５２、球発射通路５３、取付孔部５４、証紙台５５、確定表示器５６、上定形表示部材５７、下定形表示部材５８、後部品５９を備える。透明基盤４２は、光を透過する性質の有る無色な合成樹脂からなる透明体として、中央開口部１０を前側から塞ぐ大きさの板状に構成される。透明基盤４２が前側で、遮光基盤４３が後側となるように、透明基盤４２と遮光基盤４３とが互いに組み立てられる。
【００１６】
ガイドレール４４は、透明基盤４２の前面に固定される。一般入賞部品４５、始動部品４６、可変入賞部品４７、ステージ導入口４９、ステージ開口５０、アウト口５２、球発射通路５３は、ガイドレール４４で囲まれた透明基盤４２の前面に設けられる。一般入賞部品４５、始動部品４６、可変入賞部品４７は、透明基盤４２の前側から個別に取り入れた球を透明基盤４２の裏側に個別に排出する。ステージ導入口４９は、透明基盤４２の前側から取り入れた球を透明基盤４２の裏側のステージ４８に排出する。ステージ４８は、ステージ開口５０と対応し、透明基盤４２の裏面に設けられる。ステージ開口５０は、前後方向への貫通孔として構成され、ステージ４８の側部から始動部品４６を避けるように透明基盤４２の前側に球を落下させる。ステージ導出口５１は、ステージ４８の中央部から取り込んだ球を始動部品４６に向けるように透明基盤４２の前側に球を落下させる。
【００１７】
アウト口５２は、ガイドレール４４で囲まれた透明基盤４２の前側下部から取り入れた球を透明基盤４２の裏側に排出する。球発射通路５３は、球発射機構１５から発射された球をガイドレール４４で囲まれた透明基盤４２の前面上部に排出する。取付孔部５４は、透明基盤４２におけるガイドレール４４よりも外側の右側部に上下に分かれて設けられる。証紙台５５は、下部の取付孔部５４の前部に開閉可能に設けられる。証紙台５５が閉じられると、下部の取付孔部５４が証紙台５５で覆い隠される。遮光基盤４３には、確定表示器５６、上定形表示部材５７、下定形表示部材５８、後部品５９が設けられる。透明基盤４２、遮光基盤４３、下定形表示部材５８、後部品５９については、図４で後述する。
【００１８】
パチンコ遊技機では、可動枠３が閉じられて固定枠２に掛止機構２０で開閉不能に支持され、前扉４が閉じられて可動枠３に掛止機構２１で開閉不能に支持され、皿構造体５が閉じられて可動枠３に掛止機構２２で開閉不能に支持された状態において、遊技店の店員が図外のキープレート（鍵）を遊技機枠１の前側から施錠装置１９の鍵穴に挿入し、当該キープレートを例えば右側に９０度回転操作すると、固定枠２と可動枠３との掛止機構２０による支持形態が解除される。この支持形態の解除後に、店員が可動枠３を前側に引くことによって、可動枠３はヒンジ６を中心として前側に片開きされる。また、店員が施錠装置１９の鍵穴に挿入されたキープレートを例えば左側に９０度回転操作すると、可動枠３と前扉４との掛止機構２１による支持形態が解除される。この支持形態の解除後に、店員が前扉４を前側に引くことによって、前扉４はヒンジ７を中心として前側に片開きされる。その後、店員が掛止解除操作体２３を操作すると、可動枠３と皿構造体５との掛止機構２２による支持形態が解除される。この支持形態の解除後に、店員が皿構造体５を前側に引くことによって、皿構造体５がヒンジ７を中心として前側に片開きされる。
【００１９】
そして、少なくとも、前扉４が前側に開かれた状態において、遊技盤４１の左側部が可動枠３の前側から盤後押出部１１と盤前受止部１２との間に挿入され、遊技盤４１の右側部が遊技店の店員によって前側から後側に押され、盤掛止操作体１３が遊技盤４１の裏側から取付孔５４に挿入され、遊技店の店員が遊技盤４１の前側に突出した盤掛止操作体１３を例えば９０度回転操作することによって、盤掛止操作体１３が遊技盤４１の前面に掛け止められ、遊技盤４１の前面が前側に向けられ、遊技盤４１が盤収容部９に装着される。その後、前扉４が閉じられ、前扉４が可動枠３に掛止機構２１で開閉不能に支持される。これによって、前面パネル２９と遊技盤４１の前面との間におけるガイドレール４４で囲まれた空間が前面視丸形な遊技領域６０となり、遊技領域６０（図１参照）、ガイドレール４４、一般入賞部品４５、アウト口５２、球発射通路５３が遊技機枠１の前側から窓２８および前面パネル２９を通して視認可能になる。
【００２０】
遊技盤４１が可動枠３に取り付けられ、前扉４が閉じられて可動枠３に開閉不能に支持され、遊技者が球受皿部３０にパチンコ球と呼ばれる球を入れて球発射操作機構３１を操作すると、球発射機構１５が球発射操作機構３１から出力された操作量に応じた発射力で駆動し、球発射機構１５が球受皿部３０から図１の球供給口３３を経由して球発射レール１６に供給された球を発射球として１個ずつ遊技盤４１の球発射通路５３に向けて発射する。この球発射通路５３に発射された球が、球発射通路５３から遊技領域６０に到達する。遊技領域６０に到達した球は、遊技盤４１の前面に設けられた一般入賞部品４５、始動部品４６、可変入賞部品４７、ステージ導入口４９などの部品に衝突して流れる方向を変えながら、遊技領域６０を流下する過程において、一般入賞部品４５または始動部品４６に入るかまたはステージ導入口４９に入る。
【００２１】
球が一般入賞部品４５に入ると、一般入賞部品４５への入賞に対する賞球としての球が図外の球払出機構から球受皿部３０に払い出される。球が始動部品４６に入ると、始動部品４６に入賞した球を検出した図外の球検出器が図柄始動信号を図外の制御装置に出力し、制御装置が当り外れ抽選処理を行い、抽選処理の結果を遊技者に知らせるべく確定表示器５６を制御する。確定表示器５６が当り外れ抽選の結果として当たりが確定したことを停止表示した場合、制御装置が可変入賞部品４７の開閉体を開閉するように開閉体の駆動源を制御する。開閉体の開放中に、球が遊技領域６０から可変入賞部品４７に入ると、可変入賞部品４７への入賞対する賞球としての球が図外の球払出機構から球受皿部３０に払い出される。一般入賞部品４５、始動部品４６、可変入賞部品４７に入賞しないで遊技領域６０の最下部に流れた球は、アウト口５２に取り込まれる。
【００２２】
図４を参照し、透明基盤４２、遮光基盤４３、下定形表示部材５８、後部品５９の相互関係について説明する。透明基盤４２の裏面には、入賞球出口６２が設けられる。遮光基盤４３は、光を遮断する性質の有る有色な合成樹脂からなる遮光体として、透明基盤４２の裏面に重ね合わせられる大きさの板状に構成される。遮光基盤４３の中央部には、前面視方形な画像表示開口部６３が、前後方向への貫通孔として設けられる。図３の遊技盤４１が盤収容部９に装着された場合、画像表示開口部６３には表示画面２６のほとんどが対向し、表示画面２６の周縁部が画像表示開口部６３よりも外側にはみ出すようになる。遮光基盤４３の裏面には、画像表示開口部６３の上縁部と左縁部および右縁部を囲む隔壁６４が、遮光基盤４３の裏面から後側に突出して設けられる。
【００２３】
画像表示開口部６３の下縁部には、入賞球誘導部６５が設けられる。透明基盤４２と遮光基盤４３とが互いに組み立てられた場合、入賞球誘導部６５と入賞球出口６２とが互いに繋がり、入賞球誘導部６５が入賞球出口６２から排出され球を遮光基盤４３の裏側に排出する。画像表示開口部６３の下縁部には、光拡散部材６６が設けられる。光拡散部材６６は、光を透過する性質の有る無色な合成樹脂からなる透明体の下面にレンズを凹凸に有し、隔壁６４の左端部および右端部にわたる大きさの板状に構成される。光拡散部材６６が、隔壁６４の左端部および右端部にわたり、画像表示開口部６３の下縁部に沿って遮光基盤４３の裏面から後側に突出するように、遮光基盤４３の裏面に取り付けられ、隔壁６４の左端部および右端部の間の上下方向の開口を下から塞ぐ。
【００２４】
遮光基盤４３における隔壁６４よりも上方に位置する上板部の裏面には、確定表示器５６および上定形表示部材５７が設けられる。確定表示器５６が遮光基盤４３の裏面に取り付けられた場合、確定表示器５６の表示面は、遮光基盤４３の上板部に形成された図外の確定表示開口部を経由して、遮光基盤４３の前側から視認可能になる。上定形表示部材５７が遮光基盤４３の裏面に取り付けられた場合、上定形表示部材５７の表示面は、遮光基盤４３の上板部に形成された図外の上定形表示開口部を経由して、遮光基盤４３の前側から視認可能になる。
【００２５】
遮光基盤４３における隔壁６４よりも下方に位置する下板部には、部品逃避孔部６８、下定形表示開口部６９、下定形表示収容部７０、リブ７１、アウト球逃避部７２が設けられる。部品逃避孔部６８は、前後方向への貫通孔として、遮光基盤４３の下板部における左右方向の中央に設けられる。下定形表示開口部６９は、前後方向への貫通孔として、部品逃避孔部６８を境として左右に分かれ、遮光基盤４３の下板部における左右に個別に設けられる。下定形表示開口部６９は、下定形表示収容部７０で囲まれる。下定形表示収容部７０は、リブ７１で囲まれる。つまり、リブ７１は、下定形表示収容部７０を存在されつつ下定形表示開口部６９を囲み、遮光基盤４３の裏面から裏側に突出する、環状の壁として構成される。アウト球逃避部７２は、部品逃避孔部６８よりも下部に位置し、前後方向および下部に開口する。
【００２６】
下定形表示部材５８は、光を透過する性質の有る無色な合成樹脂からなる透明体として、下定形表示収容部７０に後側から収容される大きさの板状に構成され、遊技盤４１の機種情報を表現した文字やキャラクタなどの図柄または絵柄が、上記透明体の前面または裏面に、光を透過する性質の有る印刷インクにより印刷で設けられる。下定形表示部材５８が下定形表示収容部７０に収容された場合、下定形表示部材５８の中央部が下定形表示開口部６９に露出し、下定形表示部材５８の周縁部が下定形表示収容部７０の裏面に接触する。
【００２７】
後部品５９は、球通路構造体７４および照明構造体７５を備える。球通路構造体７４は、光を透過する性質の有る無色な合成樹脂からなる透明な箱として構成され、遮光基盤４３のリブ７１や下定形表示部材５８を裏側から覆い隠すように、遮光基盤４３における隔壁６４よりも下方に位置する下板部の裏面に図外の止ねじで取り付けられる。球通路構造体７４が遮光基盤４３に取り付けられた場合、球通路構造体７４の前面はリブ７１の裏面に接触するかまたは接触する程度に近づけられる。
【００２８】
球通路構造体７４の前壁には、図外の入賞球入口が設けられる。球通路構造体７４が遮光基盤４３に取り付けられた場合、上記図外の入賞球入口と入賞球誘導部６５とが互いに繋がり、当該入賞球入口が入賞球誘導部６５から排出され球を球通路構造体７４の内部に設けられた図外の入賞球通路に排出する。球通路構造体７４の裏面には、集合球通路７６が設けられる。集合球通路７６は、球通路構造体７４の上記入賞球通路から個々に排出される複数の球を１列に整列して１個ずつ下方に排出する。集合球通路７６には、図外の球検出器が設けられる。当該球検出器は、集合球通路７６を通過する球を１個ずつ検出して電気的な信号を図外の制御装置に出力する。
【００２９】
照明構造体７５は、回路基板７８に複数のＬＥＤなどの表示灯７９を電気的に動作するように実装した形態であって、表示灯７９が球通路構造体７４の側に向けられ、回路基板７８が図外の止ねじで球通路構造体７４の裏面に取り付けられる。このように、照明構造体７５が球通路構造体７４に取り付けられた場合、表示灯７９は球通路構造体７４の裏面から後側に離れている。
【産業上の利用可能性】
【００３０】
下定形表示部材５８を上定形表示部材５７と読み替え、下定形表示開口部６９を上定形表示開口部と読み替え、下定形表示収容部７０を上定形表示開口部と読み替えることによって、上定形表示部材５７を遊技盤４１に取り付ける部分にも、下定形表示開口部６９と下定形表示収容部７０とリブ７１および後部品５９からなる構造を適用できる。
【図面の簡単な説明】
【００３１】
【図１】パチンコ遊技機の下定形表示部材の部分の縦断面図（最良の形態）。
【図２】パチンコ遊技機の前側からの分解斜視図（最良の形態）。
【図３】可動枠の正面の模式図（最良の形態）。
【図４】遊技盤の後側からの分解斜視図（最良の形態）。
【符号の説明】
【００３２】
１は遊技機枠、２は固定枠、３は可動枠、４は前扉、５は皿構造体、６はヒンジ、７はヒンジ、８は欠番、９は盤収容部、１０は中央開口部、１１は盤後押出部、１２は盤前受止部、１３は盤掛止操作体、１４は盤棚、１５は球発射機構、１６は球発射レール、１７は戻り球取入口、１８は機外排出樋、１９は施錠装置、２０乃至２２は掛止機構、２３は掛止解除操作体、２４はタンク、２５は画像表示装置、２６は表示画面、２７は欠番、２８は窓、２９は前面パネル、３０は球受皿部、３１は球発射操作機構、３２は球取入口、３３は球供給口、３４乃至４０は欠番、４１は遊技盤、４２は透明基盤、４３は遮光基盤、４４はガイドレール、４５は一般入賞部品、４６は始動部品、４７は可変入賞部品、４８はステージ、４９はステージ導入口、５０はステージ開口、５１はステージ導出口、５２はアウト口、５３は球発射通路、５４は取付孔部、５５は証紙台、５６は確定表示器、５７は上定形表示部材、５８は下定形表示部材、５９は後部品、６０は遊技領域、６１は欠番、６２は入賞球出口、６３は画像表示開口部、６４は隔壁、６５は入賞球誘導部、６６は光拡散部材、６７は欠番、６８は部品逃避孔部、６９は下定形表示開口部、７０は下定形表示収容部、７１はリブ、７２はアウト球逃避部、７３は欠番、７４は球通路構造体、７５は照明構造体、７６は集合球通路、７７は球検出器、７８は回路基板、７９は表示灯。
【図１】
2008086573.tif 000003
【図２】
2008086573.tif 000004
【図３】
2008086573.tif 000005
【図４】
2008086573.tif 000006